(57)【要約】【課題】特定の対象ロットを容易に識別できる長尺物の管理方法及び管理システムを提供する。【解決手段】長尺物の管理方法は、（Ａ）連続性を有し重複しない識別コード（但し、ＩＣタグを含まない）が表面に付与された一つの親ロットから子ロットに切断する工程と、（Ｂ）子ロットに切断する際の切断部分近傍に配置された同じ子ロット内の両端部の識別コードを特定できるよう、少なくとも切断部分近傍の一方の識別コードを読み取る工程と、（Ｃ）管理手段が、子ロットに含まれる全ての識別コードに対して、同一の敷設情報を対応付けて登録する工程と、（Ｄ）情報の登録後に、敷設された子ロットに含まれる識別コードの一つを読み取り、管理手段に対して、読み取った識別コードに基づいて照会要求を行う工程と、（Ｅ）照会要求に含まれる識別コードに対応する敷設情報を提示する工程と、を備える。【選択図】図５
2018064455.tif 000002
【特許請求の範囲】
【請求項１】
敷設された長尺物を管理する長尺物の管理方法であって、
（Ａ）全長にわたって連続性を有し重複しない識別コード（但し、ＩＣタグを含まない）が表面に付与された一つの親ロットから敷設区間に対応する長さの子ロットに切断する工程と、
（Ｂ）前記子ロットに切断する際の切断部分近傍に配置された、同じ前記子ロット内の両端部の前記識別コードを特定できるよう、少なくとも前記切断部分近傍の一方に配置された前記識別コードを読み取る工程と、
（Ｃ）管理手段が、前記工程（Ｂ）で読み取った前記識別コードに基づいて、前記子ロットに含まれる全ての前記識別コードに対して、同じ前記子ロット内においては同一の敷設情報を対応付けて登録する工程と、
（Ｄ）前記敷設情報の登録後に、敷設された前記子ロットに含まれる前記識別コードの一つを読み取り、前記管理手段に対して、読み取った識別コードに基づく照会要求を行う工程と、
（Ｅ）前記照会要求に含まれる前記識別コードに対応する、前記管理手段により提供される前記敷設情報を提示する工程と、を備えることを特徴とする長尺物の管理方法。
【請求項２】
前記工程（Ｂ）は、少なくとも、同じ前記子ロット内の両端部の前記識別コードを読み取る工程であることを特徴とする請求項１に記載の長尺物の管理方法。
【請求項３】
（Ｆ）前記親ロットの製造段階で前記識別コードを付与する工程と、
（Ｇ）前記親ロットに含まれる全ての前記識別コードに対して、当該親ロットの製造情報を対応付けて登録する工程と、を備えることを特徴とする請求項１又は２に記載の長尺物の管理方法。
【請求項４】
前記識別コードは、二次元コードであることを特徴とする請求項１から３のいずれか一項に記載の長尺物の管理方法。
【請求項５】
前記長尺物は、電線又はケーブルであることを特徴とする請求項１から４のいずれか一項に記載の長尺物の管理方法。
【請求項６】
全長にわたって連続性を有し重複しない識別コード（但し、ＩＣタグを含まない）が表面に付与された一つの親ロットから敷設区間に対応する長さに切断され、敷設された子ロットを管理する長尺物の管理システムであって、
前記子ロットに切断する際の切断部近傍に配置された同じ前記子ロット内の両端部の前記識別コードを特定できるよう、少なくとも前記切断部近傍の一方に配置された前記識別コードを読み取るコード読取部と、
前記コード読取部により読み取られた前記識別コードを受け付け、前記子ロットに含まれる全ての前記識別コードに対して、同じ前記子ロット内においては同一の敷設情報を対応付けて登録する情報登録部と、
前記情報登録部による情報の登録後に、敷設された前記子ロットに含まれる前記識別コードの一つを前記コード読取部によって読み取り、読み取った識別コードに基づいて照会要求があった場合に、当該識別コードに対応する前記敷設情報を提示する情報提示部と、を備えることを特徴とする長尺物の管理システム。
【請求項７】
前記コード読取部は、少なくとも、同じ前記子ロット内の両端部の前記識別コードを読み取ることを特徴とする請求項６に記載の長尺物の管理システム。
【発明の詳細な説明】
【技術分野】
【０００１】
本発明は、電線・ケーブル等の長尺物の管理方法及び管理システムに関する。
【背景技術】
【０００２】
一般に、発電所等の各種プラントにおいては、多数の電気設備が設置されていることから、これらの駆動用及び制御用の電線・ケーブルが大量に使用されている。通常、同一のケーブルトレイに、多数のケーブルがまとめて敷設される。そのため、敷設されているケーブルの移設や撤去、メンテナンス等を行う場合には、多数条の中から対象となる特定のケーブル（以下、「対象ケーブル」と称する）を識別することが必要となる。
【０００３】
しかし、多数のケーブルが密集して敷設されている上、ケーブルの形状は互いに類似しているため、対象ケーブルを識別することは容易ではない。従来、対象ケーブルを識別する際の作業を容易化するために、ケーブルの長さ方向に沿って識別コードを付与することが提案されている（例えば、特許文献１〜５）。識別コードは、例えばケーブル表面への印刷やＩＣタグを利用して付与される。特に、特許文献４、５では、同一ロットのケーブルを複数に切り分けて敷設した場合にも対応できる識別コードが開示されている。以下において、長尺物において切り分けて敷設される部分を「子ロット」、子ロットの元となる長尺物全体を「親ロット」と称する。
【０００４】
具体的には、特許文献４では、製造年月日、識別標識及び長さ標識を含む識別コードが、ケーブルの長さ方向に沿って付与されている。そして、同一の親ロットから切り出された子ロットの一方の端部に配置された識別コードと、ケーブル情報とが対応付けられている。また、特許文献５では、最短切断長より短い一定長の区間ごとに同一の識別コードが付与されている。各区間の識別コードは連続性を有する。そして、子ロットの両端部に配置された識別コード（始点コード及び終点コード）と、ケーブル情報とが対応付けられている。
【先行技術文献】
【特許文献】
【０００５】
【特許文献１】特開平９−２０４４３５号公報
【特許文献２】特開２００６−１２７８９６号公報
【特許文献３】特開２００１−２１７３０号公報
【特許文献４】特開２００１−１８９１１２号公報
【特許文献５】特開平８−１９０８１４号公報
【発明の概要】
【発明が解決しようとする課題】
【０００６】
しかしながら、特許文献４に記載の技術では、例えば敷設区間の中間地点で対象ケーブルを切断しようとする場合に、当該対象ケーブルに対応する端部の識別コードを参照し、切断地点近傍の識別コードを、同一仕様と考えられる複数本の子ロットについて比較し、参照した識別コードと最も関連性の高い識別コードを有する子ロットを、対象ケーブルとして特定することとなる。特に、同一の親ロットから切り出された子ロットが多数敷設されている場合には、識別作業に長時間を要する。
【０００７】
また、特許文献５に記載の技術は、最短切断長がケーブルの製造段階（識別コードを付与する段階）でわかっていることが前提であるため、量産が困難であり、生産コストが増大する虞がある。このように、従来技術は、識別コードを利用するものの、同一の親ロットから切り出された複数の子ロットの中から対象ケーブルを容易に識別できているとは言いがたく、改善の余地がある。
【０００８】
本発明の目的は、同一の親ロットから切り出された複数の子ロットが密集して敷設されている場合にも、特定の対象ロットを容易に識別できる長尺物の管理方法及び管理システムを提供することである。
【課題を解決するための手段】
【０００９】
本発明の一側面を反映した長尺物の管理方法は、敷設された長尺物を管理する長尺物の管理方法であって、
（Ａ）全長にわたって連続性を有し重複しない識別コード（但し、ＩＣタグを含まない）が表面に付与された一つの親ロットから敷設区間に対応する長さの子ロットに切断する工程と、
（Ｂ）前記子ロットに切断する際の切断部分近傍に配置された、同じ前記子ロット内の両端部の前記識別コードを特定できるよう、少なくとも前記切断部分近傍の一方に配置された前記識別コードを読み取る工程と、
（Ｃ）管理手段が、前記工程（Ｂ）で読み取った前記識別コードに基づいて、前記子ロットに含まれる全ての前記識別コードに対して、同じ前記子ロット内においては同一の敷設情報を対応付けて登録する工程と、
（Ｄ）前記敷設情報の登録後に、敷設された前記子ロットに含まれる前記識別コードの一つを読み取り、前記管理手段に対して、読み取った識別コードに基づく照会要求を行う工程と、
（Ｅ）前記照会要求に含まれる前記識別コードに対応する、前記管理手段により提供される前記敷設情報を提示する工程と、を備えることを特徴とする。
【００１０】
本発明の一側面を反映した長尺物の管理システムは、全長にわたって連続性を有し重複しない識別コード（但し、ＩＣタグを含まない）が表面に付与された一つの親ロットから敷設区間に対応する長さに切断され、敷設された子ロットを管理する長尺物の管理システムであって、
前記子ロットに切断する際の切断部近傍に配置された同じ前記子ロット内の両端部の前記識別コードを特定できるよう、少なくとも前記切断部近傍の一方に配置された前記識別コードを読み取るコード読取部と、
前記コード読取部により読み取られた前記識別コードを受け付け、前記子ロットに含まれる全ての前記識別コードに対して、同じ前記子ロット内においては同一の敷設情報を対応付けて登録する情報登録部と、
前記情報登録部による情報の登録後に、敷設された前記子ロットに含まれる前記識別コードの一つを前記コード読取部によって読み取り、読み取った識別コードに基づいて照会要求があった場合に、当該識別コードに対応する前記敷設情報を提示する情報提示部と、を備えることを特徴とする。
【発明の効果】
【００１１】
本発明によれば、同一の親ロットから切り出された複数の子ロットが密集して敷設されている場合にも、特定の対象ケーブルを容易に識別することができる。
【図面の簡単な説明】
【００１２】
【図１】実施の形態に係るケーブル管理システムを示す図である。
【図２】敷設管理サーバーの構成を示す図である。
【図３】記憶部に登録されるデータの構成を示すである。
【図４】コード読取装置の構成を示すである。
【図５】ケーブル管理システムにおけるケーブル管理方法を示すシーケンス図である。
【発明を実施するための形態】
【００１３】
以下、本発明の実施の形態を、図面を参照して詳細に説明する。
【００１４】
図１は、本発明の一実施の形態に係る長尺物の管理システム（ここではケーブル管理システム）１を示す図である。本実施の形態では、一例として、電線メーカーが製造した長尺物（ここでは電力ケーブル）Ｃを、電力会社が複数に切り分けて変電所に敷設する場合について説明する。
【００１５】
図１に示すように、ケーブル管理システム１は、敷設管理サーバー１０、コード読取装置２０、コード印刷装置３０、及び製造管理サーバー４０を備える。敷設管理サーバー１０及びコード読取装置２０は、電力ケーブルＣの納入先（ここでは電力会社）で用いられ、コード印刷装置３０及び製造管理サーバー４０は、電力ケーブルＣの製造元（ここでは電線メーカー）で用いられる。
【００１６】
以下において、電線メーカーが製造し電力会社に納入する長尺物としての電力ケーブルＣを「親ロットＣ」と称し、電力会社が親ロットＣから複数に切り分けた切断部分を「子ロットＣ１、Ｃ２、・・」と称する。
【００１７】
製造管理サーバー４０は、親ロットＣごとに製造情報を管理する。製造情報は、製造メーカー等を示す複数の情報を含む。製造管理サーバー４０は、製造仕様書に基づいて、コード印刷装置３０に識別コードの印刷指示を行う。製造管理サーバー４０は、親ロットＣに含まれる全ての識別コードＱＲ（ＱＲ００１、ＱＲ００２、・・・）に対して、当該親ロットＣの製造情報を対応付けて登録する。
【００１８】
コード印刷装置３０は、製造管理サーバー４０の印刷指示に従って、親ロットＣの製造段階において、親ロットＣの全長にわたって所定の間隔で識別コードＱＲを印刷する。親ロットＣには、全長にわたって、所定の間隔で識別コードＱＲが付与される。
【００１９】
識別コードＱＲは、親ロットＣにおいて連続性を有し、少なくとも親ロットＣ内において重複しない唯一無二のコードである。識別コードは、例えば、製造メーカー等を示す複数の情報を符号化して組み合わせた複数桁の文字列をコード化したものである。識別コードＱＲは、ＱＲコード（登録商標）やデータマトリックス等の大量の情報を格納できる二次元コードであることが好ましい。また、識別コードＱＲは、ケーブル管理システム１において用いられる範囲で重複しない唯一無二のコードであることが好ましい。
【００２０】
なお、長尺物への二次元コードの印刷が困難である場合は、バーコードや数字等（アルファベット、記号を含む）の文字列を識別コードとして利用してもよい。さらには、二次元コードと文字列等を組み合わせて適用してもよい。
【００２１】
製造された親ロットＣは電力会社に納入され、敷設現場（変電所）において複数の子ロットＣ１、Ｃ２、・・に切り分けられて敷設される。子ロットＣ１、Ｃ２、・・には、識別コードＱＲのうちの一部が含まれる。図１では、子ロットＣ１には、識別コードＱＲ００１（始点コード）〜ＱＲ１００（終点コード）が含まれ、子ロットＣ２には、識別コードＱＲ１０１〜ＱＲ２００が含まれている。識別コードＱＲ００１〜ＱＲ２００は、互いに重複しない。以下においては、子ロットＣ１、Ｃ２、・・に含まれる識別コードを区別しない場合は、「識別コードＱＲ」と記す。
【００２２】
コード読取装置２０は、子ロットＣ１、Ｃ２、・・の敷設時、並びに、移設、撤去及びメンテナンス時に、子ロットＣ１、Ｃ２、・・に配置されている識別コードＱＲを読み取る。読み取った識別コードＱＲは、無線通信網又は有線通信網を介して、敷設管理サーバー１０に提供される。
【００２３】
敷設管理サーバー１０は、変電所に敷設される子ロットＣ１、Ｃ２、・・ごとに敷設情報を管理する。敷設情報は、子ロットＣ１、Ｃ２、・・が敷設される設備名、子ロットＣ１、Ｃ２、・・の敷設ルートを示す線路名、子ロットＣ１、Ｃ２、・・の仕様、敷設年月日等を含む。敷設管理サーバー１０は、子ロットＣ１、Ｃ２、・・ごとに、それぞれに含まれる全ての識別コードに対して一つの敷設情報を対応付けて登録する。
【００２４】
図２は、敷設管理サーバー１０の構成を示す図である。図２に示すように、敷設管理サーバー１０は、制御部１１、記憶部１２、通信部１３、及び操作部１４等を備える。
【００２５】
記憶部１２は、例えばＨＤＤ（Hard Disk Drive）、ＳＳＤ（Solid State Drive）、又はＳＤ（Secure Digital）カード等の補助記憶装置である。記憶部１２は、子ロットＣ１、Ｃ２、・・ごとに、敷設情報１２１及び識別コード１２２を対応付けて記憶する（図３参照）。記憶部１２は、子ロットＣ１、Ｃ２、・・ごとに、製造情報を記憶してもよい。
【００２６】
通信部１３は、無線通信網又は有線通信網を介して、コード読取装置２０と情報の送受信を行う。
【００２７】
操作部１４は、例えば文字入力可能なキーボード等であり、敷設情報等を入力する際に用いられる。
【００２８】
制御部１１は、演算／制御装置としてのＣＰＵ（Central Processing Unit）、主記憶装置としてのＲＡＭ及びＲＯＭを有する（いずれも図示略）。ＣＰＵは、ＲＯＭ又は記憶部１２から処理内容に応じたプログラムを読み出してＲＡＭに展開し、展開したプログラムと協働して、各ブロックを制御する。ＲＯＭは、ＢＩＯＳ（Basic Input Output System）と呼ばれる基本プログラム等を記憶する。制御部１１は、コード受付部１１１、情報登録部１１２、及び情報提供部１１３として機能する。各機能については、図５のシーケンス図を参照して詳述する。
【００２９】
図４は、コード読取装置２０の構成を示す図である。図４に示すように、コード読取装置２０は、制御部２１、記憶部２２、通信部２３、操作部２４、表示部２５、及びコードリーダー部２６等を備える。
【００３０】
記憶部２２は、例えばＳＳＤ（Solid State Drive）、又はＳＤ（Secure Digital）カード等の補助記憶装置である。記憶部２２は、敷設管理サーバー１０と情報の送受信を行う際に実行されるアプリケーションプログラム等を記憶する。
【００３１】
通信部２３は、無線通信網又は有線通信網を介して、敷設管理サーバー１０と情報の送受信を行う。
【００３２】
操作部２４は、例えば文字入力可能なキーボード等であり、敷設情報を入力する際に用いられる。操作部２４及び表示部２５は、例えばタッチパネル付きのフラットパネルディスプレイで構成される。フラットパネルディスプレイとしては、液晶ディスプレイ、有機ＥＬディスプレイなど従来公知のものを用いることができる。
【００３３】
コードリーダー部２６は、子ロットＣ１、Ｃ２、・・に付与された識別コードを光学的に走査し、識別コードからの反射光に基づいて識別コードを読み取る。
【００３４】
制御部２１は、演算／制御装置としてのＣＰＵ、主記憶装置としてのＲＡＭ及びＲＯＭを有する（いずれも図示略）。ＣＰＵは、ＲＯＭ又は記憶部２２から処理内容に応じたプログラムを読み出してＲＡＭに展開し、展開したプログラムと協働して、各ブロックを制御する。ＲＯＭは、ＢＩＯＳと呼ばれる基本プログラム等を記憶する。制御部２１は、コード取得部２１１、コード提供部２１２、及び敷設情報照会部２１３として機能する。各機能については、図５のシーケンス図を参照して詳述する。
【００３５】
図５は、ケーブル管理システム１におけるケーブル管理方法を示すシーケンス図である。図５に示すように、敷設管理サーバー１０及びコード読取装置２０が連携することにより、ケーブル管理システム１が実現される。
【００３６】
親ロットＣを変電所に敷設するに際して、親ロットＣから敷設区間に対応する長さの複数の子ロットＣ１、Ｃ２、・・が切断される。このとき、コード読取装置２０は、作業者の操作に基づいて、識別コードの登録プログラムを実行させた上で、子ロットＣ１、Ｃ２、・・の始点コードＱＲｓ（ＱＲ００１、ＱＲ１０１、・・）及び終点コードＱＲｅ（ＱＲ１００、ＱＲ２００、・・）を読み取る（ステップＳ１０１、コード取得部２１１としての処理）。そして、コード読取装置２０は、読み取った始点コードＱＲｓ及び終点コードＱＲｅを、敷設管理サーバー１０に送信する（コード提供部２１２としての処理）。
【００３７】
なお、切断境界の一方に配置された識別コード（例えば子ロットＣ１の終点コードＱＲ１００）を読み取ると、切断境界の他方に配置された識別コード（例えば子ロットＣ２の始点コードＱＲ１０１）は自然に決まるので、実際に読み取り操作を行わなくてもよい場合もある。また、子ロットＣ１、Ｃ２、・・の始点コードＱＲｓ（ＱＲ００１、ＱＲ１０１、・・）及び終点コードＱＲｅ（ＱＲ１００、ＱＲ２００、・・）の読み取りは、切断後に行ってもよいし、親ロットＣの切断前に行ってもよい。
【００３８】
敷設管理サーバー１０は、コード読取装置２０からの識別コードを受け付け、敷設情報と対応付けて登録する（ステップＳ１０２、コード受付部１１１及び情報登録部１１２としての処理）。このとき、敷設管理サーバー１０は、子ロットＣ１、Ｃ２、・・に含まれる全ての識別コード（子ロットＣ１の場合は識別コードＱＲ００１〜ＱＲ１００）に対して、同じ子ロット内（例えば子ロットＣ１内）においては同一の敷設情報を対応付けて登録する（図３参照）。
【００３９】
子ロットＣ１、Ｃ２、・・のメンテナンス時等において、コード読取装置２０は、作業者の操作に基づいて、識別コードの照会プログラムを実行させた上で、子ロットＣ１、Ｃ２、・・に付与されている識別コードＱＲの一つを読み取り、当該識別コードに対応する敷設情報を照会する（ステップＳ１０３、敷設情報照会部２１３としての処理）。作業者は、子ロットＣ１、Ｃ２、・・に付与されている何れの識別コードＱＲを読み取ってもよい。
【００４０】
敷設管理サーバー１０は、コード読取装置２０からの識別コードを含む照会要求に基づいて、当該識別コードに対応する敷設情報を読み出し、照会結果をコード読取装置２０に送信する（ステップＳ１０４、情報提供部１１３としての処理）。コード読取装置２０の表示部２５には、読み取った識別コードに対応する敷設情報が表示される（ステップＳ１０５）。同じ子ロットに含まれる識別コードに対しては、同じ敷設情報が対応付けられているので、作業者は、同じ子ロット上の何れの識別コードを読み取っても同じ照会結果を得ることができる。
【００４１】
作業者は、表示された敷設情報を閲覧することにより、当該子ロットがメンテナンス等を行うべき対象であるか否かを容易に知得することができる。
【００４２】
このように、本実施の形態に係るケーブル（長尺物）の管理方法は、（Ａ）全長にわたって連続性を有し重複しない識別コードＱＲが付与された一つの親ロットＣから敷設区間に対応する長さの子ロットＣ１、Ｃ２、・・に切断する工程と、（Ｂ）子ロットＣ１、Ｃ２、・・に切断する際の切断部分近傍に配置された少なくとも２つの識別コードＱＲを読み取る工程と、（Ｃ）工程（Ｂ）で読み取った識別コードＱＲに基づいて、子ロットＣ１、Ｃ２、・・に含まれる全ての識別コードＱＲに対して、（同じ子ロット内においては）同一の敷設情報を対応付けて登録する工程と、（Ｄ）敷設情報の登録後に、敷設された子ロットＣ１、Ｃ２、・・に含まれる識別コードＱＲの一つを読み取り、読み取った識別コードＱＲに基づいて照会要求を行う工程と、（Ｅ）照会要求に含まれる識別コードＱＲに対応する敷設情報を提示する工程と、を備える。
【００４３】
また、本実施の形態に係るケーブル管理システム１（長尺物の管理システム）は、全長にわたって連続性を有し重複しない識別コードＱＲが付与された一つの親ロットＣから敷設区間に対応する長さに切断され、敷設された子ロットＣ１、Ｃ２、・・を管理する。ケーブル管理システム１は、子ロットＣ１、Ｃ２、・・に切断する際の切断部近傍に配置された識別コードＱＲを読み取るコード読取装置２０（コード読取部）と、子ロットＣ１、Ｃ２、・・に含まれる全ての識別コードに対して、同一の敷設情報を対応付けて登録する情報登録部１１２と、情報登録部１１２による情報の登録後に、敷設された子ロットＣ１、Ｃ２、・・に含まれる識別コードＱＲの一つをコード読取装置２０によって読み取り、読み取った識別コードＱＲに基づいて照会要求があった場合に、当該識別コードＱＲに対応する敷設情報を提示する情報提示部（敷設管理サーバー１０の情報提供部１１３及びコード読取装置２０の表示部２５）と、を備える。
【００４４】
実施の形態に係るケーブル管理方法及びケーブル管理システム１によれば、同一の親ロットから切り出された複数の子ロットが密集して敷設されている場合にも、作業者は識別コードを読み取るという極めて簡易な作業を行うだけで、特定の対象ロットを容易に識別することができる。
【００４５】
以上、本発明者によってなされた発明を実施の形態に基づいて具体的に説明したが、本発明は上記実施の形態に限定されるものではなく、その要旨を逸脱しない範囲で変更可能である。
【００４６】
例えば、実施の形態では、コード読取装置２０と敷設管理サーバー１０を別々に設けているが、コード読取装置２０が、敷設管理サーバー１０としての機能（子ロットＣ１、Ｃ２、・・の敷設情報を管理する機能）を備えるようにしてもよい。
【００４７】
また、製造管理サーバー４０は、親ロットＣの納入に伴い、当該親ロットＣの製造情報を敷設管理サーバー１０に提供するようにしてもよい。または、コード読取装置２０は、子ロットＣ１、Ｃ２、・・に付与されている識別コードＱＲの一つを読み取り、当該識別コードに対応する敷設情報を照会する際に、製造管理サーバー４０にアクセスして、当該識別コードＱＲに対応する製造情報を照会するようにしてもよい。さらには、識別コードＱＲとして付与される二次元コードに、製造情報が含まれるようにし、コード読取装置２０で識別コードＱＲを読み取った際に、製造情報が取得されるようにしてもよい。
【００４８】
これにより、子ロットＣ１、Ｃ２、・・ごとに、敷設情報だけでなく、製造情報も管理することができ、識別コードＱＲを読み取るだけで製造情報も容易に取得することができる。例えば、子ロットＣ１、Ｃ２、・・のいずれかで異常が発見された場合に、当該子ロットＣ１の製造情報を容易に参照できるので、異常原因を突き止める際に有用である。
【００４９】
上記実施の形態では、長尺物である電力ケーブルの管理方法及び管理システム１について説明したが、電力ケーブルＣは電線であってもよく、本発明は、例えば、表面に識別コードを付与可能な電線・ケーブル以外の長尺物（例えば、配管やホース）の管理方法及び管理システムに適用できる。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５１】
１  管理システム
１０  敷設管理サーバー
１１  制御部
１１１  コード受付部
１１２  情報登録部
１１３  情報提供部
１２  記憶部
１２１  敷設情報
１２２  識別コード
１３  通信部
１４  操作部
２０  コード読取装置
２１  制御部
２１１  コード取得部
２１２  コード提供部
２１３  敷設情報照会部
２２  記憶部
２３  通信部
２４  操作部
２５  表示部
２６  コードリーダー部
３０  コード印刷装置
４０  製造管理サーバー
【図１】
2018064455.tif 000003
【図２】
2018064455.tif 000004
【図３】
2018064455.tif 000005
【図４】
2018064455.tif 000006
【図５】
2018064455.tif 000007